(57)【要約】【課題】着用者を効果的に冷却可能な衣服本体を提供する。【解決手段】衣服本体１は、前身頃２と、後身頃３と、後身頃３に設けられ、外気を取り込む送風装置を取り付け可能な貫通穴３１と、を備える。後身頃３の全長をＸ（ｃｍ）としたとき、後身頃３の下端から最下方に位置する貫通穴の下端までの距離Ｙは０．３Ｘ（ｃｍ）以上である。【選択図】図１
2020111855.tif 000002
【特許請求の範囲】
【請求項１】
前身頃と、
後身頃と、
前記後身頃に設けられ、外気を取り込む送風装置を取り付け可能な送風装置取付部と、
を備え、
前記後身頃の全長をＸ（ｃｍ）としたとき、前記後身頃の下端から最下方に位置する前記送風装置取付部の下端までの距離Ｙは０．３Ｘ（ｃｍ）以上である、
ことを特徴とする上半身用衣服本体。
【請求項２】
前記距離Ｙは２０ｃｍ以上である、
請求項１に記載の上半身用衣服本体。
【請求項３】
請求項１又は２に記載の上半身用衣服本体の前記送風装置取付部に前記送風装置が取り付けられて成る、
上半身用衣服。
【発明の詳細な説明】
【技術分野】
【０００１】
本発明は、上半身用衣服本体及び上半身用衣服に関する。
【背景技術】
【０００２】
外気を取り込む送風装置を備えた衣服が知られている（例えば特許文献１）。このような衣服では、送風装置を駆動させることにより衣服内に外気を取り込み、衣服内を流れる気体によって着用者の体を冷却する。
【先行技術文献】
【特許文献】
【０００３】
【特許文献１】特開２０１８−１９３６２２号公報
【発明の概要】
【発明が解決しようとする課題】
【０００４】
ところで、人間の首には、皮膚の近くを太い血管が通っている。そのため、衣服の首元を通過する風量を増加させ、着用者の首を積極的に冷却することは、着用者自体を冷却する上で効果的であると考えられる。
【０００５】
本発明は、着用者を効果的に冷却可能な上半身用衣服本体及び上半身用衣服を提供することを目的とする。
【課題を解決するための手段】
【０００６】
発明者は、送風装置の位置を従来よりも上方に配置することにより、衣服の首元を通過して衣服から排出される風量が増加することを見出し、本発明に至った。
【０００７】
本発明の上半身用衣服本体は、
前身頃と、
後身頃と、
前記後身頃に設けられ、外気を取り込む送風装置を取り付け可能な送風装置取付部と、
を備え、
前記後身頃の全長をＸ（ｃｍ）としたとき、前記後身頃の下端から最下方に位置する前記送風装置取付部の下端までの距離Ｙは０．３Ｘ（ｃｍ）以上である、
ことを特徴とする。
【０００８】
本発明の上半身用衣服本体において、
前記距離Ｙは２０ｃｍ以上である、
ことが好ましい。
【０００９】
本発明の上半身用衣服は、
上記いずれかの上半身用衣服本体の前記送風装置取付部に前記送風装置が取り付けられて成る、
ことを特徴とする。
【発明の効果】
【００１０】
本発明の上半身用衣服本体では、送風装置取付部の位置を従来よりも高くしている。したがって、送風装置取付部に取り付けられた送風装置の位置も従来よりも高くなる。これにより、上半身用衣服の首元を通過して排出される風量を増加させることができる。
【図面の簡単な説明】
【００１１】
【図１】（ａ）上半身用衣服本体の正面図、（ｂ）上半身用衣服本体の背面図である。
【図２】上半身用衣服の背面図である。
【発明を実施するための形態】
【００１２】
本発明の上半身用衣服本体及び上半身用衣服について図面を参照しながら説明する。以下で説明する実施形態は、本発明の好ましい一具体例を示すものである。本発明は、以下の実施形態に限定されず、その主旨を逸脱しない範囲で適宜変更可能である。
【００１３】
図１（ａ）は上半身用衣服本体１（以下では、単に「衣服本体１」と表記する。）の正面図、図１（ｂ）は衣服本体１の背面図である。図２は、上半身用衣服１０（以下では、単に「衣服１０」と表記する。）の背面図である。図１（ａ）に示すように、着用者を基準として、衣服本体１及び衣服１０の上下方向及び左右方向を規定する。
【００１４】
＜１  上半身用衣服本体＞
衣服本体１は、前身頃２と、後身頃３と、袖部４と、襟部５と、を備える。本実施形態では、衣服本体１として、ジャンパタイプの上着を例示している。衣服本体１は、綿やポリエステルなどの柔軟で気体を通し難い素材から成る。
【００１５】
前身頃２及び後身頃３の下端（すなわち、衣服本体１の裾）は、絞り部６を有している。絞り部６は、ゴムなどの伸縮性素材を内包している。これにより、絞り部６は、その身幅が衣服本体１の上下方向における中間部の身幅よりも小さくなるよう絞られている。絞り部６は、好ましくは着用者の体に密着する。
【００１６】
後身頃３には、後身頃３を貫通する複数の貫通穴３１（図１（ｂ）では二つ）が設けられている。貫通穴３１は、後述する、衣服本体１内に外気を取り込むための送風装置７を取り付ける送風装置取付部である。二つの貫通穴３１は円形である。二つの貫通穴３１は、後身頃３１の左右方向における中心を通る中心線Ｏに対し、左右対称に配置されている。貫通穴３１の直径は、送風装置７のカバー付きファン７１の挿入部よりもわずかに大きく構成されており、一例として９ｃｍである。
【００１７】
衣服本体１において、貫通穴３１の位置は、従来よりも高い位置に設定されている。これにより、送風装置７も従来よりも高い位置に取り付け可能になる。
【００１８】
具体的には、後身頃３の全長をＸ（ｃｍ）としたとき、後身頃３の下端から貫通穴３１の下端までの距離Ｙ（ｃｍ）は、０．３Ｘ（ｃｍ）以上であり、好ましくは０．４５Ｘ（ｃｍ）以上である。全長Ｘは、一般的な成人が着用することを想定した値に設定され、例えば６０ｃｍ〜７５ｃｍである。距離Ｙは、具体的には、２０ｃｍ以上であることが好ましく、３０ｃｍ以上であることがより好ましい。
【００１９】
なお、後身頃３の全長Ｘは、後身頃３の左右方向中心における全長のことである（すなわち、中心線Ｏに沿った後身頃３の全長）。また、貫通穴３１が上下方向に間隔をあけて複数配置されている場合には、距離Ｙは、後身頃３の下端から最下方に位置する貫通穴３１の下端までの距離のことである。
【００２０】
距離Ｙは、貫通穴３１が形成されている位置における後身頃３の上下方向長さＸ’（ｃｍ）（すなわち、貫通穴３１の中心を通って上下方向に延びる直線の、後身頃３の下端から肩までの長さ）から貫通穴３１の直径を引いた長さ以下であり、好ましくは、０．６Ｘ（ｃｍ）以下である。
【００２１】
一実施形態では、Ｘ＝６６ｃｍ、Ｙ＝３０ｃｍである。
【００２２】
＜２  上半身用衣服＞
図２を参照して衣服１０について説明する。衣服１０は、衣服本体１の二つの貫通穴３１にそれぞれ送風装置７が取り付けられることによって構成されている。送風装置７は、モータ等の駆動装置を備えたカバー付きファン７１と、リング（不図示）とを備える。駆動装置はケーブルを介して電源と電気的に接続されている。電源は、好ましくは携帯型電源である。
【００２３】
送風装置７は、カバー付きファン７１の挿入部を後身頃３の外側から貫通孔３１に挿入した後、後身頃３の内側からリングをカバー付きファン７１に嵌めることにより取り付けることができる。
【００２４】
送風装置７を駆動することにより、衣服１０内に外気が取り込まれ、着用者の体を冷却する。衣服１０内に取り込まれた外気は、衣服１０と着用者の体との間の隙間から衣服１０外へ排出される。衣服１０の下端には絞り部６が設けられているため、衣服１０の下端からの気体の流出は防止される。
【００２５】
＜３  実施例＞
実施例及び比較例では、送風装置７を駆動させた際に、襟部５を通過する気体の風速を測定し比較した。比較例では、実施例の衣服と距離Ｙの値のみが異なる従来の衣服（株式会社エヌ・エス・ピー製）を用いた。風速は、２６℃の室内において、衣服をトルソに着せた状態で、襟部５とトルソの首との間の空間に風速計（Ａ−ｌｅａｆデジタル風速計）の測定部を配置して測定した。なお、前記の通り、実施例及び比較例の衣服は距離Ｙの値を除いて同じ寸法であるため、襟部５とトルソの首との間の開口面積も略同じになる。したがって、襟部５とトルソの首との間を通過する気体の風速が大きいほど、その間を通過する風量も大きいと言える。表１に結果を示す。
【００２６】
【表１】
2020111855.tif 000003
【００２７】
＜４  特徴＞
本発明の衣服１０では、従来の衣服よりも送風装置７が高い位置に配置されているため、衣服１０の首元を通過して衣服１０から排出される風量を大きくすることができる。これにより、着用者の肩や首に沿って流れる風量も増加し、着用者はより涼しく感じることができる。
【００２８】
例えば車両の座席の中には、背もたれが低いものもある。距離Ｙを２０ｃｍ以上にすることにより、座席の背もたれと送風装置７との干渉を抑えることができる場合がある。したがって、座席に座って作業を行う際に、着用者が不快に感じる場面を減らすことができる。
【００２９】
距離Ｙを０．６Ｘ（ｃｍ）以下にすることにより、送風装置７より下方にも適切な量の風を送ることができる。つまり、着用者の肩や首に沿って流れる風量を増加させつつ、衣服１０内の着用者の胴体にも適量の風を送ることができる。これにより、着用者をより効果的に冷却することができる。
【符号の説明】
【００３０】
１        上半身用衣服本体
１０      衣服
２        前身頃
３        後身頃
３１      貫通穴（送風装置取付部）
７        送風装置
Ｘ        後身頃の全長
Ｙ        後身頃の下端から貫通穴の下端までの距離
【図１】
2020111855.tif 000004
【図２】
2020111855.tif 000005